(57)【要約】【課題】建物毎に異なる個別の構成要素を準備する必要のない、コンペンセーティングチェーンプロテクターの提供。【解決手段】コンペンセーティングチェーンプロテクター２３は、一対の第１の取付腕２５と、一対のベース２７と、一対の第２の取付腕２９と、少なくとも一つのガイドバー３１とを備える。一対のベースは、一対の第１の取付腕の一端と案内レール１９とを接続しており、一対の第２の取付腕の一端は、一対の第１の取付腕の他端と接続されており、ガイド体は、一対の第２の取付腕の他端に支持されている。一対の第１の取付腕の一端と一対のベースとの間、及び、一対の第２の取付腕の一端と一対の第１の取付腕の他端との間、のうちの少なくとも一箇所は、スプライン嵌合されている。【選択図】図７
2014201438.tif 000002
【特許請求の範囲】
【請求項１】
一対の第１の取付腕と、一対のベースと、一対の第２の取付腕と、少なくとも一つのガイド体とを備え、
前記一対のベースは、前記一対の第１の取付腕の一端とエレベータの昇降路における被固定部とを接続しており、
前記一対の第２の取付腕の一端は、前記一対の第１の取付腕の他端と接続されており、
前記少なくとも一つのガイド体は、前記一対の第２の取付腕の他端に支持されており、
前記一対の第１の取付腕の一端と対応する前記一対のベースとの間、及び、前記一対の第２の取付腕の一端と対応する前記一対の第１の取付腕の他端との間、のうちの少なくとも一箇所は、スプライン嵌合されている、
エレベータのコンペンセーティングチェーンプロテクター。
【請求項２】
前記一対の第１の取付腕の一端と対応する前記一対のベースとの間、及び、前記一対の第２の取付腕の一端と対応する前記一対の第１の取付腕の他端との間、の全てが、スプライン嵌合されている、
請求項１のエレベータのコンペンセーティングチェーンプロテクター。
【請求項３】
前記一対の第２の取付腕はそれぞれが、メイン腕部と、分岐プレートと、一対の分岐腕部とを有しており、
前記メイン腕部の一端は、前記第２の取付腕の一端として、対応する前記一対の第１の取付腕の他端に接続されており、
前記メイン腕部の他端には、前記分岐プレートが固定されており、
前記分岐プレートの両端それぞれに、対応する前記一対の分岐腕部の一端が接続されており、
前記少なくとも一つのガイド体は、２本のガイドバーであり、
前記２本のガイドバーはそれぞれ、対応する前記一対の分岐腕部の他端に支持されており、
前記分岐プレートと前記一対の分岐腕部の一端との間はスプライン嵌合されている、
請求項１又は２のエレベータのコンペンセーティングチェーンプロテクター。
【発明の詳細な説明】
【技術分野】
【０００１】
本発明は、エレベータのコンペンセーティングチェーンプロテクターに関するものである。
【背景技術】
【０００２】
エレベータは、上下に延びる昇降路と、その中を移動可能に設けられたかごとを備えている。かごは、巻上機によって駆動される巻上ロープの一端側に吊り下げられており、巻上ロープの他端側には、釣り合い錘が吊り下げられており、巻上機による巻上ロープの駆動によって、かご及び釣り合い錘が相互に反対向きに昇降される。さらに、かごの下部側と釣り合い錘の下部側との間に、コンペンセーティングチェーンが設けられたエレベータがある。
【０００３】
また、特許文献１には、そのようなコンペンセーティングチェーンの揺れ止めを行うコンペンセーティングチェーンプロテクターが開示されている。このコンペンセーティングチェーンプロテクターは、かご及び釣り合い錘の間で下垂湾曲曲線を描くように懸垂されたコンペンセーティングチェーンに対し、その湾曲線内を横切って配置され、昇降路内の固定部に支持されたガイド軸と、そのガイド軸を覆うように着脱自在に取り付けた揺れ止め子とを備えている。
【先行技術文献】
【特許文献】
【０００４】
【特許文献１】特開昭６１−１０１３８２号公報
【発明の概要】
【発明が解決しようとする課題】
【０００５】
しかしながら、上述したコンペンセーティングチェーンプロテクターでは、ガイド軸を固定部に支持する支持部材は、建物毎に異なる長さのものを準備しなければならないという問題があった。
【０００６】
本発明は、上記に鑑みてなされたものであり、建物毎に異なる個別の構成要素を準備する必要のない、コンペンセーティングチェーンプロテクターを提供することを目的とする。
【課題を解決するための手段】
【０００７】
上述した目的を達成するため、本発明のエレベータのコンペンセーティングチェーンプロテクターは、一対の第１の取付腕と、一対のベースと、一対の第２の取付腕と、少なくとも一つのガイド体とを備え、前記一対のベースは、前記一対の第１の取付腕の一端とエレベータの昇降路における被固定部とを接続しており、前記一対の第２の取付腕の一端は、前記一対の第１の取付腕の他端と接続されており、前記少なくとも一つのガイド体は、前記一対の第２の取付腕の他端に支持されており、前記一対の第１の取付腕の一端と対応する前記一対のベースとの間、及び、前記一対の第２の取付腕の一端と対応する前記一対の第１の取付腕の他端との間、のうちの少なくとも一箇所は、スプライン嵌合されている。
【発明の効果】
【０００８】
本発明によれば、建物毎に異なる個別の構成要素を準備する必要のない、コンペンセーティングチェーンプロテクターを提供することができる。
【図面の簡単な説明】
【０００９】
【図１】エレベータの構成を示す図である。
【図２】本発明の実施の形態１に係るコンペンセーティングチェーンプロテクターを示す斜視図である。
【図３】本実施の形態１に係るコンペンセーティングチェーンプロテクターの平面図である。
【図４】図３の矢印ＩＶからみた、コンペンセーティングチェーンプロテクターの側面図である。
【図５】図４の矢印Ｖからみた、コンペンセーティングチェーンプロテクターの正面図である。
【図６】スプライン嵌合を説明する図である。
【図７】コンペンセーティングチェーンプロテクターのスプライン嵌合の調整に関するバリエーションを例示する図である。
【発明を実施するための形態】
【００１０】
以下、本発明に係る実施の形態について添付図面に基づいて説明する。なお、図中、同一符号は同一又は対応部分を示すものとする。
【００１１】
実施の形態１．
まず、本実施の形態１に係るコンペンセーティングチェーンプロテクターを適用するエレベータについて説明する。図１は、エレベータの構成を示す図である。エレベータ１は、複数の構造物内を上下に延びる昇降路３内に、かご５と、釣り合い錘７とを備えている。かご５及び釣り合い錘７はそれぞれ、昇降路３内を上下に昇降可能に設けられている。  
【００１２】
一例であるが、昇降路３の上方には、機械室９が設けられており、機械室９内には、巻上機１１及びそらせ車１３が収容されている。
【００１３】
巻上機１１には、巻上ロープ１５が巻き掛けられており、巻上ロープ１５の一端側には、かご５が吊り下げられており、巻上ロープ１５の他端側には、釣り合い錘７が吊り下げられている。そして、巻上機１１により巻上ロープ１５が駆動されることで、かご５及び釣り合い錘７が相互に上下反対向きに昇降される。
【００１４】
また、かご５の下部側と釣り合い錘７の下部側との間には、コンペンセーティングチェーン１７が設けられている。コンペンセーティングチェーン１７は、かご５の昇降路３内の高さ位置によって生じる巻上ロープ１５や図示省略する制御ケーブルに関する重量アンバランスを補償する。図示例では、コンペンセーティングチェーン１７の一端は、かご５の下部に固定され、コンペンセーティングチェーン１７の他端は、釣り合い錘７の下部に固定されており、コンペンセーティングチェーン１７の中間部分は、昇降路３のピット部３ａにおいて折り返されて、略Ｕ字状を呈している。
【００１５】
また、昇降路３内には、かご５の走行領域と釣り合い錘７の走行領域との間に、昇降路３内の案内レール１９を支持するためのビーム２１が複数設けられている。コンペンセーティングチェーンプロテクター２３は、かご５および釣り合い錘７が昇降中に、コンペンセーティングチェーン１７がビーム２１と干渉しないように、ビーム２１付近の、釣り合い錘用案内レール１９に設けられている。一例であるが、昇降路３内には複数のコンペンセーティングチェーンプロテクター２３が設けられており、ビーム２１毎にコンペンセーティングチェーンプロテクター２３が割り当てられている。
【００１６】
次に、図２〜図５に基づいて、コンペンセーティングチェーンプロテクターの構成を説明する。図２は、コンペンセーティングチェーンプロテクターを示す斜視図である。図３は、コンペンセーティングチェーンプロテクターの平面図、図４は、図３の矢印ＩＶからみた、コンペンセーティングチェーンプロテクターの側面図、そして、図５は、図４の矢印Ｖからみた、コンペンセーティングチェーンプロテクターの正面図である。
【００１７】
コンペンセーティングチェーンプロテクター２３は、一対の第１の取付腕２５と、一対のベース２７と、一対の第２の取付腕２９と、少なくとも一つのガイド体とを備えている。ガイド体としては、形状や個数に関し様々な態様で実施しうるが、一例として、本実施の形態１では、断面円形の２本のガイドバー３１が用いられている。
【００１８】
一対のベース２７は、一対の第１の取付腕２５の一端とエレベータの昇降路３における被固定部とを接続している。具体例としては、一対のベース２７は、それぞれ、一対の案内レール１９のうちの対応する案内レール１９の外側面（被固定部）に固定されており、ベース２７のそれぞれに、対応する第１の取付腕２５の一端が接続されている。
【００１９】
一対の第１の取付腕２５はそれぞれ、ベース２７からかご５の昇降領域側に向けて延出している。第２の取付腕２９の一端は、対応する第１の取付腕２５の他端に接続されている。
【００２０】
また、少なくとも一つのガイド体は、一対の第２の取付腕２９の他端に支持されているが、上述したように、具体的には、ガイド体は２本のガイドバー３１であり、これに対応し、第２の取付腕２９のそれぞれ他端も二つに分岐しており、その各他端にガイドバー３１が支持されている。これにつき、以下に、さらに詳細に説明する。
【００２１】
一対の第２の取付腕２９はそれぞれが、メイン腕部４１と、分岐プレート４３と、一対の分岐腕部４５とを有している。メイン腕部４１の一端は、第２の取付腕２９の一端として、対応する第１の取付腕２５の他端に接続されている。メイン腕部４１の他端には、分岐プレート４３が固定されている。分岐プレート４３は、案内レール１９と接近・離隔する方向に延びている。分岐プレート４３の両端それぞれには、対応する分岐腕部４５の一端が接続されている。そして、２本のガイドバー３１はそれぞれ、対応する分岐腕部４５の他端に支持されている。
【００２２】
本発明としては、一対の第１の取付腕２５の一端と一対のベース２７との間Ａ、及び、一対の第２の取付腕２９の一端と一対の第１の取付腕２５の他端との間Ｂ、のうちの少なくとも一箇所は、スプライン嵌合されている。特に好適な具体的一例である本実施の形態１では、一対の第１の取付腕２５の一端と一対のベース２７との間Ａ、及び、一対の第２の取付腕２９の一端と一対の第１の取付腕２５の他端との間Ｂ、の全てが、スプライン嵌合されている。また、分岐プレート４３と一対の分岐腕部４５の一端との間Ｃも、スプライン嵌合されている。さらに、一例であるが、ガイドバー３１と分岐腕部４５との間も、スプライン嵌合されている。
【００２３】
図６を用いて、上述した該当箇所のスプライン嵌合について説明する。図６は、スプライン嵌合を説明する図である。第１の態様としては、スプライン嵌合される二部材の一方には、スプライン軸５１が形成されており、他方には、スプライン溝５３が形成されている。一例を示すと、ベース２７にはスプライン軸５１が形成されており、第１の取付腕２５の一端には、スプライン溝５３が形成されている。そして、ベース２７のスプライン軸５１に対して、スプライン溝５３を嵌合させるようにして第１の取付腕２５を取り付け、ワッシャー５５を介してナット５７を外側から締め込むことで、スプライン軸５１からスプライン溝５３が抜けないように抑える。これによって、ベース２７に対する第１の取付腕２５の姿勢角度が所望に維持される。なお、上述した例は一例であり、スプライン嵌合される二部材の何れにスプライン軸５１を形成してもよい。また、第２の態様としては、スプライン嵌合される二部材の両方に、スプライン溝５３を形成し、それら一対のスプライン溝５３に共通のスプライン軸５１を挿入する。一例を示すと、第１の取付腕２５の他端と、第２の取付腕２９のメイン腕部４１の一端との双方に、スプライン溝５３を形成しておき、それらスプライン溝５３に共通のスプライン軸５１を挿通し、適宜、１セット以上のワッシャー５５及びナット５７を用いて抜け止め固定する。これによって、第１の取付腕２５に対する第２の取付腕２９の姿勢角度が所望に維持される。
【００２４】
本発明としては、如何なる部位にどのような態様のスプライン嵌合を用いるかは特に限定されるものではなく、スプライン嵌合の部分として上述した該当箇所に、一方に対する他方の姿勢角度が設定され維持され、且つ、姿勢角度が、何回でも任意に設定しなおすことができる態様でスプライン嵌合がなされていればよい。
【００２５】
次に、本実施の形態１に係るコンペンセーティングチェーンプロテクターの作用について説明する。コンペンセーティングチェーンプロテクター２３によれば、ビーム２１と案内レール１９との間にコンペンセーティングチェーン１７が配置された状態において、ガイドバー３１をビーム２１よりも案内レール１９に近い（水平方向距離でいう近い）所望の位置に自在に配置することができるので、コンペンセーティングチェーン１７が揺れた場合でも、コンペンセーティングチェーン１７がビーム２１と干渉する前にコンペンセーティングチェーン１７をガイドバー３１に衝突させてコンペンセーティングチェーン１７の揺れを抑え、コンペンセーティングチェーン１７とビーム２１との干渉を防止することができる。
【００２６】
図７に、コンペンセーティングチェーンプロテクターのスプライン嵌合の調整に関するバリエーションを例示する。例えば、図７の（ａ）に示されるような物件において、所望の位置にガイドバー３１を配置することができるコンペンセーティングチェーンプロテクター２３と、同一のコンペンセーティングチェーンプロテクター２３を、図７の（ｂ）に示されるようなビーム２１がより低い位置にある（ビーム２１の間隔が狭い）物件にも、スプライン勘合の姿勢角度を調整するだけで、部品交換することなく使用することができる。また、他の例として、図７の（ａ）に示されるような物件において、所望の位置にガイドバー３１を配置することができるコンペンセーティングチェーンプロテクター２３と、同一のコンペンセーティングチェーンプロテクター２３を、図７の（ｃ）に示されるようなビーム２１がより大型であったりビーム２１と案内レール１９との間隔がより狭かったりする物件にも、スプライン勘合の姿勢角度を調整するだけで、部品交換することなく使用することができることが分かる。
【００２７】
以上のように構成された本実施の形態１に係るコンペンセーティングチェーンプロテクターによれば、ビームとコンペンセーティングチェーンとの関係が物件毎に異なっていた場合においても、ガイドバーを適切な位置に自在に配置することができるので、建物毎にコンペンセーティングチェーンプロテクターを準備する必要（例えば建物毎に異なる長さの第１の取付腕や第２の取付腕を準備する必要）がなくなり、部材の共通化を図ることができる。つまり、建物毎に異なる個別の構成要素を準備する必要のない、コンペンセーティングチェーンプロテクターが提供される。
【００２８】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００２９】
１  エレベータ、１７  コンペンセーティングチェーン、１９  案内レール、２３  コンペンセーティングチェーンプロテクター、２５  第１の取付腕、２７  ベース、２９  第２の取付腕、３１  ガイドバー、４１  メイン腕部、４３  分岐プレート、４５  分岐腕部。
【図１】
2014201438.tif 000003
【図２】
2014201438.tif 000004
【図３】
2014201438.tif 000005
【図４】
2014201438.tif 000006
【図５】
2014201438.tif 000007
【図６】
2014201438.tif 000008
【図７】
2014201438.tif 000009